(57)【要約】【課題】近接する人体の部分が毛髪であっても、近接を正しく検出することができる携帯端末を提供する。【解決手段】第１の近接センサ４０は、赤外線を出射し、物体によって反射された赤外線を検出するように構成される。第２の近接センサ４１は、赤外線と異なる波長の光を出射し、物体によって反射された波長の光を検出するように構成される。制御部２は、第１の近接センサ４０および第２の近接センサ４１からの光の出力を制御するように構成される。近接判定部４は、第１の近接センサ４０で検出された反射光量と、第２の近接センサ４２で検出された反射光量とに基づいて、人体の携帯端末への近接を判定するように構成される。【選択図】図６
2016158144.tif 000002
【特許請求の範囲】
【請求項１】
携帯端末であって、
赤外線を出射し、物体によって反射された赤外線を検出するように構成された第１の近接センサと、
前記赤外線と異なる波長の光を出射し、物体によって反射された前記波長の光を検出するように構成された第２の近接センサと、
前記第１の近接センサおよび前記第２の近接センサからの光の出力を制御するように構成された制御部と、
前記第１の近接センサで検出された反射光量と、前記第２の近接センサで検出された反射光量とに基づいて、人体の前記携帯端末への近接を判定するように構成された近接判定部とを備えた、携帯端末。
【請求項２】
前記近接判定部は、前記第１の近接センサで検出された反射光量が、第１の閾値以上の場合には、肌が前記携帯端末へ近接したと判定するように構成される、請求項１記載の携帯端末。
【請求項３】
前記近接判定部は、前記第１の近接センサで検出された反射光量が、前記第１の閾値未満であり、かつ前記第１の近接センサで検出された反射光量と前記第２の近接センサで検出された反射光量との差が、第２の閾値以上の場合に、毛髪が前記携帯端末へ近接したと判定するように構成される、請求項２記載の携帯端末。
【請求項４】
前記制御部は、前記第１の近接センサから赤外線を出射させるように構成され、
前記近接判定部は、前記第１の近接センサで検出された反射光量が第３の閾値以上となり、所定時間経過しても前記第３の閾値以上を維持する場合には、肌が前記携帯端末へ近接したと判定するように構成される、請求項１記載の携帯端末。
【請求項５】
前記制御部は、前記第１の近接センサで検出された反射光量が第３の閾値以上となり、所定時間経過後、前記第３の閾値以下に変化する場合には、前記第２の近接センサから前記波長の光を出射させるように構成され、
前記近接判定部は、前記第１の近接センサで検出された反射光量と前記第２の近接センサで検出された反射光量との差が、第４の閾値以上の場合に、毛髪が前記携帯端末へ近接したと判定するように構成される、請求項４記載の携帯端末。
【請求項６】
前記波長の光は、紫外線である、請求項１記載の携帯端末。
【請求項７】
前記波長の光は、可視光である。請求項１記載の携帯端末。
【請求項８】
前記第２の近接センサは、可視光を出力する発光素子と、反射された可視光を検出するように構成される受光素子とを備え、
前記発光素子は、着信時に可視光を出力するように構成される、請求項７記載の携帯端末。
【請求項９】
前記携帯端末は、ディスプレイを備え、
前記第２の近接センサは、可視光を出射するように構成される発光素子と、反射された可視光を検出するように構成される受光素子とを備え、
前記受光素子は、前記発光素子から可視光が出射されていない間には、周囲の明るさに応じたディスプレイの輝度の調整のために、可視光を検出するように構成される、請求項７記載の携帯端末。
【発明の詳細な説明】
【技術分野】
【０００１】
本開示の実施形態は、携帯端末に関する。
【背景技術】
【０００２】
従来から、近接サンサを備えた携帯端末が知られている。たとえば、特許文献１の携帯端末は、近接センサにより人が近接していると判定され、かつ携帯端末装置が通話状態の場合に、使用者がスピーカに耳に近づけると通話中であると判断する。
【先行技術文献】
【特許文献】
【０００３】
【特許文献１】特開２０１０−５０９４３号公報
【発明の概要】
【発明が解決しようとする課題】
【０００４】
しかしながら、携帯端末に近接する人体の部分が肌ではなく、毛髪の場合に、近接をうまく検出できないという問題がある。これは、肌に光を照射した場合には、光は肌の内部で反射されうるが、毛髪に光を照射した場合に、光は毛髪表面でしか反射しないためである。
【０００５】
それゆえに、本開示の目的は、近接する人体の部分が毛髪であっても、近接を正しく検出することができる携帯端末を提供することである。
【課題を解決するための手段】
【０００６】
一実施の形態の携帯端末は、赤外線を出射し、物体によって反射された赤外線を検出するように構成された第１の近接センサと、赤外線と異なる波長の光を出射し、物体によって反射された波長の光を検出するように構成された第２の近接センサと、第１の近接センサおよび第２の近接センサからの光の出力を制御するように構成された制御部と、第１の近接センサで検出された反射光量と、第２の近接センサで検出された反射光量とに基づいて、人体の携帯端末への近接を判定するように構成された近接判定部とを備える。
【発明の効果】
【０００７】
一実施の形態の携帯端末によれば、近接する人体の部分が毛髪であっても、近接を正しく検出することができる。
【図面の簡単な説明】
【０００８】
【図１】近接センサによる検知対象物の近接を検出する仕組みを説明するための図である。
【図２】近接センサによる人の肌の近接の検出を説明するための図である。
【図３】近接センサによる人の毛髪の近接の検出を説明するための図である。
【図４】近接センサとフロントガラスとの距離を大きくしたときの人の毛髪の近接の検出を説明するための図である。
【図５】接センサとフロントガラスとの距離を大きくしたときに、人の毛髪が近接していない状態を表わす図である。
【図６】実施の形態の携帯端末の構成を表わす図である。
【図７】図６の携帯端末の正面（表面）側からの外観を表わす図である。
【図８】実施の形態における、第１の近接センサおよび第２の近接センサの配置、および人体の携帯端末への近接を表わす図である。
【図９】照射する光の波長と、フロントガラス、肌、毛髪の反射率との関係を表わす図である。
【図１０】（ａ）は、赤外線を照射したときの肌、毛髪、フロントガラス、肌およびフロントガラスの混合、毛髪およびフロントガラスの混合の反射光量を表わす図である。（ｂ）は、紫外線を照射したときの肌、毛髪、フロントガラス、肌およびフロントガラスの混合、毛髪およびフロントガラスの混合の反射光量を表わす図である。
【図１１】第１の実施形態の近接判定手順を表わすフローチャートである。
【図１２】毛髪または肌と第１の近接センサとの距離と赤外線反射量との関係を表わす図である。
【図１３】毛髪と第１の近接センサ，第２の近接センサとの距離と、赤外線反射量および紫外線反射量との関係を表わす図である。
【図１４】第２の実施形態の近接判定手順を表わすフローチャートである。
【図１５】変形例における、第１の近接センサおよび第２の近接センサの配置、および人体の携帯端末への近接を表わす図である。
【発明を実施するための形態】
【０００９】
以下、実施の形態について、図面を用いて説明する。
図１は、近接センサ２４による検知対象物の近接を検出する仕組みを説明するための図である。
【００１０】
近接センサ２４は、発光素子２６と受光素子２８とを有する。発光素子２６から出力された光は、近接窓２２およびフロントガラス２０を通過して、検知対象物に照射される。検知対象物で反射された光は、フロントガラス２０および近接窓２２を通過して、受光素子２８に入力される。
【００１１】
図２は、近接センサ２４による人の肌の近接の検出を説明するための図である。
図２に示すように、発光素子２６から出力された光は、近接窓２２およびフロントガラス２０を通過して、肌に照射される。照射された光の一部は、肌の内部で反射され、フロントガラス２０および近接窓２２を通過して、受光素子２８に入力される。
【００１２】
図３は、近接センサ２４による人の毛髪の近接の検出を説明するための図である。
図３に示すように、発光素子２６から出力された光は、近接窓２２およびフロントガラス２０を通過して、毛髪に照射される。照射された光は、毛髪の表面で反射される。毛髪の表面と受光素子２８との距離が短いので、反射された光は、受光素子２８に入力されない。この問題を解決するためには、フロントガラス２０と近接センサ２４との距離を長くすることが考えられる。
【００１３】
図４は、近接センサ２４とフロントガラス２０との距離を大きくしたときの人の毛髪の近接の検出を説明するための図である。
【００１４】
図４に示すように、毛髪の表面と受光素子２８との距離が長いので、反射された光は、受光素子２８に入力される。
【００１５】
図５は、近接センサ２４とフロントガラス２０との距離を大きくしたときに、人の毛髪が近接していない状態を表わす図である。
【００１６】
毛髪の近接を検出するために、近接センサとフロントガラス２０との距離を大きくしたことにより、毛髪が近接していないときには、フロントガラス２０で反射された光は、受光素子２８に入力される。
【００１７】
このように近接センサとフロントガラス２０との距離を大きくすると、毛髪が近接しているか否かにかかわらず、受光素子２８に反射光が入力されるので、毛髪の近接を検出できない。
【００１８】
［第１の実施形態］
図６は、実施の形態の携帯端末１の構成を表わす図である。図７は、図６の携帯端末１の正面（表面）側からの外観を表わす図である。
【００１９】
携帯端末１は、アンテナ５８と、無線通信部６０と、制御部２と、第１の近接センサ４０と、第２の近接センサ４１と、スピーカ５０と、マイク５２と、ディスプレイ５４と、タッチパネル５６と、カメラ６２と、近接判定部４とを備える。
【００２０】
無線通信部６０は、アンテナ５８を通じて基地局と通信することができる。
スピーカ５０は、制御部２から出力される通話相手の音声などを出力することができる。
【００２１】
マイク５２は、通話相手の音声などを受けて、制御部２へ出力することができる。
ディスプレイ５４は、制御部２から出力される画面を表示することができる。
【００２２】
タッチパネル５６は、ユーザからの入力を受け付けることができる。
カメラ６２は、被写体を撮影することができる。
【００２３】
第１の近接センサ４０は、赤外線発光素子４２と、赤外線受光素子４４とを備える。
赤外線発光素子４２は、赤外線を出射することができる。赤外線受光素子４４は、物体によって反射された赤外線を受光することができる。
【００２４】
第２の近接センサ４１は、紫外線発光素子４６と、紫外線受光素子４８とを備える。
紫外線発光素子４６は、紫外線を出射することができる。紫外線受光素子４８は、物体によって反射された紫外線を受光することができる。
【００２５】
近接判定部４は、第１の近接センサ４０で検出される反射光量と、第２の近接センサ４１で検出される反射光と基づいて、人体などの物体が携帯端末１に近接しているか否かを判定することができる。
【００２６】
制御部２は、携帯端末１の全体を制御することができる。
図７に示すように、スピーカ５０、カメラ６２、第１の近接センサ４０、および第２の近接センサ４１は、携帯端末１の筐体３の正面の上部に配置されることができる。第１の近接センサ４０および第２の近接センサ４１は、通話時に耳などの人体のスピーカ５０への近接を検出するために、スピーカ５０の近辺に設けられることができる。ディスプレイ５４およびタッチパネル５６は、携帯端末１の筐体３の正面の中央に配置されることができる。ディスプレイ５４上にタッチパネル５６が配置されることができる。マイク５２は、携帯端末１の筐体３の正面の下部に配置されることができる。
【００２７】
図８は、実施の形態における、第１の近接センサ４０および第２の近接センサ４１の配置、および人体の携帯端末１への近接を表わす図である。
【００２８】
フロントガラス２０と、第１の近接センサ４０および第２の近接センサ４１との距離をＬとする。
【００２９】
第１の近接センサ４０を構成する赤外線発光素子４２から出力された赤外線は、毛髪または肌などの対象物で反射して、反射した赤外線は、第１の近接センサ４０を構成する赤外線受光素子４４で受光される。
【００３０】
第２の近接センサ４１を構成する紫外線発光素子４６から出力された紫外線は、毛髪または肌などの対象物で反射して、反射した紫外線は、第２の近接センサ４１を構成する紫外線受光素子４８で受光される。
【００３１】
図９は、照射する光の波長と、フロントガラス２０、肌、毛髪の反射率との関係を表わす図である。
【００３２】
肌の反射率は、入射する光の波長によって変化しない。肌の反射率は、フロントガラス２０および毛髪の反射率よりも大きい。
【００３３】
フロントガラス２０の反射率は、入射する光の波長によって変化しない。フロントガラス２０の反射率は、肌の反射率よりも小さく、毛髪の反射率よりも大きい。
【００３４】
毛髪の反射率は、入射する光の波長によって変化する。毛髪の反射率は、入射する光が赤外線のときには、入射する光が紫外線および可視光のときよりも大きい。入射する光が赤外線のときには、毛髪の反射率は、フロントガラス２０の反射率に近い。
【００３５】
図１０（ａ）は、赤外線を照射したときの肌、毛髪、フロントガラス２０、肌およびフロントガラス２０の混合、毛髪およびフロントガラス２０の混合の反射光量を表わす図である。
【００３６】
肌の反射光量がＳである。毛髪の反射光量がＨ１である。フロントガラス２０の反射光量がＸ１以上、Ｘ２以下である。このようにフロントガラス２０の反射光量が一定でないのは、フロントガラス２０と近接センサ４０，４１との距離が、製造上の理由によって、携帯端末ごとに異なるからである。フロントガラス２０に毛髪が近接したときの毛髪の反射光量とフロントガラス２０の反射光量の和（毛髪＋フロントガラス）は、Ｙ１以上、Ｙ２以下である。Ｙ２＝Ｙ１＋ＢＵである。フロントガラス２０に肌が近接したときの肌の反射光量とフロントガラス２０の反射光量との和（肌＋フロントガラス）は、Ｚ１以上、Ｚ２以下である。
【００３７】
図１０（ｂ）は、紫外線を照射したときの肌、毛髪、フロントガラス２０、肌およびフロントガラス２０の混合、毛髪およびフロントガラス２０の混合の反射光量を表わす図である。
【００３８】
肌の反射光量は、赤外線の場合と同じでＳである。毛髪の反射光量は、赤外線の場合よりも小さいＨ２である。フロントガラス２０の反射光量は、赤外線の場合と同じでＸ１以上、Ｘ２以下である。フロントガラス２０に毛髪が近接したときの毛髪の反射光量とフロントガラス２０の反射光量の和（毛髪＋フロントガラス）は、Ｙ３以上、Ｙ４以下である。Ｙ３＜Ｙ１、Ｙ４＜Ｙ２である。Ｙ４＝Ｙ３＋ＢＵである。フロントガラス２０に肌が近接したときの肌の反射光量とフロントガラス２０の反射光量との和（肌＋フロントガラス）は、赤外線の場合と同じでＺ１以上、Ｚ２以下である。
【００３９】
ユーザが、携帯端末１に耳を近づけたかどうかを判定するためには、フロントガラス２０のみの反射光量と、毛髪＋フロントガラスの反射光量または肌＋フロントガラスの反射光量との相違を識別できることが必要となる。
【００４０】
肌＋フロントガラスの反射光量であるか、またはフロントガラスの反射光量であるかは、入射する光の波長に係らず、図１０（ａ）、（ｂ）に示すような閾値ＴＨＡによって判別することができる。
【００４１】
入射される光が赤外線の場合に、毛髪＋フロントガラスの反射光量か、またはフロントガラスの反射光量かを判別することができない。なぜなら、たとえば、図１０（ａ）に示すように、反射光量Ａが、Ｘ１≦Ａ≦Ｘ２、かつＹ１≦Ａ≦Ｙ２のときには、反射光量Ａが、毛髪＋フロントガラスの反射光量か、またはフロントガラスの反射光量かを判別することが難しいからである。
【００４２】
入射される光が赤外線の場合でも、毛髪＋フロントガラスの反射光量か、またはフロントガラスの反射光量かを判別することができない。なぜなら、たとえば、図１０（ｂ）に示すように、反射光量Ｂが、Ｘ３≦Ｂ≦Ｘ４、かつＹ３≦Ｂ≦Ｙ４のときには、反射光量Ｂが、毛髪＋フロントガラスの反射光量か、またはフロントガラスの反射光量かを判別することができないからである。
【００４３】
フロントガラス２０の赤外線の反射光量と、フロントガラス２０の紫外線の反射光量との差は、ノイズ成分を除ければ「０」である。一方、毛髪＋フロントガラスの赤外線の反射光量と、毛髪＋フロントガラスの紫外線の反射光量との差は、ノイズ成分と（Ｙ３−Ｙ１）の和である。よって、適当な閾値ＴＨＢを設けて、赤外線を照射したときに反射光量と、紫外線を照射したときの反射光量との差が閾値ＴＨＢ以上であれば、反射光は、フロントガラス＋毛髪の反射光であると判定することができる。
【００４４】
第１の実施形態では、近接判定部４は、第１の近接センサ４０で検出された反射光量が、閾値ＴＨＡ以上の場合には、肌が携帯端末１へ近接したと判定するように構成される。
【００４５】
近接判定部４は、第１の近接センサ４０で検出された反射光量が、閾値ＴＨＡ未満であり、かつ第１の近接センサ４０で検出された反射光量と第２の近接センサ４１で検出された反射光量との差が、閾値ＴＨＢ以上の場合に、毛髪が携帯端末１へ近接したと判定するように構成される。
【００４６】
図１１は、第１の実施形態の近接判定手順を表わすフローチャートである。
ステップＳ１００において、制御部２によって、通話が開始されると、処理がステップＳ１０１に進む。
【００４７】
ステップＳ１０１において、制御部２は、赤外線発光素子４２から赤外線を照射させることができる。
【００４８】
ステップＳ１０２において、赤外線受光素子４４が、対象物からの赤外線の反射光量ＲＩを検出することができる。
【００４９】
ステップＳ１０３において、制御部２は、紫外線発光素子４６から赤外線を照射させることができる。
【００５０】
ステップＳ１０４において、紫外線受光素子４８が、対象物からの紫外線の反射光量ＲＵを検出することができる。
【００５１】
ステップＳ１０５において、赤外線の反射光量ＲＩが閾値ＴＨＡ以上の場合には（Ｓ１０５：ＹＥＳ）、処理がステップＳ１０７に進む。
【００５２】
ステップＳ１０６において、赤外線の反射光量ＲＩが閾値ＴＨＡ未満であり、かつ赤外線の反射光量ＲＩから紫外線の反射光量ＲＵを減算した値が閾値ＴＨＢ以上の場合には（Ｓ１０５：ＮＯ、Ｓ１０６：ＹＥＳ）、処理がステップＳ１０８に進む。
【００５３】
ステップＳ１０７において、赤外線の反射光量ＲＩが閾値ＴＨＡ未満であり、かつ赤外線の反射光量ＲＩから紫外線の反射光量ＲＵを減算した値が閾値ＴＨＢ以下の場合には（Ｓ１０５：ＮＯ、Ｓ１０６：ＮＯ、Ｓ１０７：ＹＥＳ）、処理がステップＳ１０９に進む。
【００５４】
ステップＳ１０７において、近接判定部４は、人体の一部である肌が携帯端末１に近接していると判定することができる。その後、処理がステップＳ１１０に進む。
【００５５】
ステップＳ１０８において、近接判定部４は、人体の一部である毛髪が携帯端末１に近接していると判定することができる。その後、処理がステップＳ１１０に進む。
【００５６】
ステップＳ１０９において、近接判定部４は、物体が携帯端末１に近接していないと判定することができる。
【００５７】
ステップＳ１１０において、制御部２は、ディスプレイ５４の画面を消灯することができる。さらに、人体が携帯端末１に近接したことによって、人体が誤ってタッチパネル５６へ触れる可能性が高まる。タッチパネル５６の誤作動を防止するために、制御部２は、タッチパネル５６への入力を無視する、またはタッチパネル５６への電力供給を停止することによって、タッチパネル５６への入力を無効にすることができる。
【００５８】
以上のように、第１の実施形態によれば、赤外線センサである第１の近接センサで検出される反射光量と紫外線センサである第２の近接センサで検出される反射光量との差を用いることによって、毛髪の携帯端末への近接を正しく検出することができる。
【００５９】
［第２の実施形態］
第１の実施形態では、肌または毛髪が携帯端末１のフロントガラス２０に触れるところまで近づいた段階での近接を検出した。これに対して、第２の実施形態では、肌または毛髪がフロントガラスに２０に次第に近づいていく過程で近接の検出を開始する。
【００６０】
図１２は、毛髪または肌と第１の近接センサ４０との距離と赤外線反射量との関係を表わす図である。横軸の原点Ｌは、フロントガラス２０と第１の近接センサ４０との距離Ｌである。なぜなら、毛髪または肌が第１の近接センサ４０に最も近づいたときの、毛髪または肌と第１の近接センサ４０との距離は、Ｌとなるからである。
【００６１】
特性曲線Ｌ１は、毛髪と第１の近接センサ４０との距離に対する毛髪＋フロントガラスの赤外線反射量を表わす曲線である。特性曲線Ｌ２は、肌と第１の近接センサ４０との距離に対する毛髪＋フロントガラスの赤外線反射量を表わす曲線である。
【００６２】
特性曲線Ｌ２が示すように、赤外線が肌およびフロントガラス２０で反射する場合には、肌が第１の近接センサ４０に近づくほど、赤外線の反射光量は大きくなる。
【００６３】
一方、特性曲線Ｌ１が示すように、赤外線が毛髪およびフロントガラス２０で反射する場合には、毛髪と第１の近接センサ４０との距離がＭ以上の範囲では、毛髪が第１の近接センサ４０に近づくほど、赤外線の反射光量は大きくなる。毛髪と第１の近接センサ４０との距離がＭ未満の範囲では、毛髪が第１の近接センサ４０に近づくほど、赤外線の反射光量は小さくなる。
【００６４】
図１３は、毛髪と第１の近接センサ４０，第２の近接センサ４１との距離と、赤外線反射量および紫外線反射量との関係を表わす図である。
【００６５】
図１３における特性曲線Ｌ１は、図１２におけるＬ１と同じである。
特性曲線Ｌ３は、毛髪と第２の近接センサ４１との距離に対する毛髪＋フロントガラスの紫外線反射量を表わす曲線である。
【００６６】
特性曲線Ｌ３が示すように、紫外線が毛髪およびフロントガラス２０で反射する場合には、毛髪と第２の近接センサ４１との距離がＭ以上の範囲では、毛髪が第２の近接センサ４１に近づくほど、紫外線の反射光量は大きくなる。毛髪と第２の近接センサ４１との距離がＭ未満の範囲では、毛髪が第２の近接センサ４１に近づくほど、紫外線の反射光量は小さくなる。
【００６７】
特性曲線Ｌ１と特性曲線Ｌ３とを比較すると、毛髪と第１の近接センサ４０，第２の近接センサ４１との距離がＭよりも大きいときには、赤外線の反射光量と紫外線の反射光量の差は小さいが、毛髪と第１の近接センサ４０，第２の近接センサ４１との距離がＭよりも小さいときには、赤外線の反射光量と紫外線の反射光量の差は大きい。たとえば、毛髪と第１の近接センサ４０、第２の近接センサ４１との距離がＬの場合には、赤外線の反射光量と紫外線の反射光量の差がＤである。毛髪と第１の近接センサ４０、第２の近接センサ４１との距離が十分に大きく、検出される反射光が、フロントガラス２０からの反射光のみとみなせる場合には、赤外線の反射光量と紫外線の反射光量の差は０である。
【００６８】
第２の実施形態では、制御部２は、まず、第１の近接センサ４０から赤外線を出射させ、近接判定部４は、第１の近接センサ４０で検出された反射光量が閾値ＴＨＳ以上となり、所定時間経過しても閾値ＴＨＳ以上を維持する場合には、肌が携帯端末１へ近接したと判定するように構成される。
【００６９】
制御部２は、第１の近接センサ４０で検出された反射光量が閾値ＴＨＳ以上となり、所定時間経過後、閾値ＴＨＳ以下に変化する場合には、第２の近接センサ４１から紫外線を出射させるように構成される。近接判定部４は、第１の近接センサ４０で検出された反射光量と第２の近接センサ４１で検出された反射光量との差が、閾値ＴＨＸ以上の場合に、毛髪が携帯端末１へ近接したと判定するように構成される。閾値ＴＨＸは、Ｄよりも小さい値である。
【００７０】
図１４は、第２の実施形態の近接判定手順を表わすフローチャートである。
ステップＳ２０１において、制御部２によって、通話が開始されると、処理がステップＳ２０１に進む。
【００７１】
ステップＳ２０２において、制御部２は、赤外線発光素子４２から赤外線を照射させることができる。
【００７２】
ステップＳ２０３において、赤外線受光素子４４が、赤外線の反射光量ＲＩを検出することができる。
【００７３】
ステップＳ２０４において、赤外線の反射光量ＲＩが閾値ＴＨＳ以上となった場合には、図１２で示したように毛髪または肌が近接途中にあるので、処理がステップＳ２０５に進む。
【００７４】
ステップＳ２０５において、所定時間後に赤外線の反射光量ＲＩが閾値ＴＨＳ未満に変化した場合には（Ｓ２０５：ＹＥＳ）、図１２の特性曲線Ｌ１で示すように、毛髪がさらに近接したか、あるいは毛髪が遠ざかったかのいずれであるので、処理がステップＳ２０７に進む。
【００７５】
ステップＳ２０５において、所定時間後に赤外線の反射光量ＲＩが閾値ＴＨＳ未満に変化しない場合には（Ｓ２０５：ＮＯ）、図１２の特性曲線Ｌ２で示したように、毛髪ではなく肌が近接している可能性があるとして、処理がステップＳ２０６に進む。
【００７６】
ステップＳ２０７において、制御部２は、紫外線発光素子４６から赤外線を出射させることができる。
【００７７】
ステップＳ２０８において、紫外線受光素子４８が、紫外線の反射光量ＲＵを検出することができる。
【００７８】
ステップＳ２０９において、赤外線の反射光量ＲＩから紫外線の反射光量ＲＵを減算した値が閾値ＴＨＸ以上の場合には（Ｓ２０９：ＹＥＳ）、処理がステップＳ２１０に進む。
【００７９】
ステップＳ２０９において、赤外線の反射光量ＲＩから紫外線の反射光量ＲＵを減算した値が閾値ＴＨＸ未満の場合には（Ｓ２０９：ＮＯ）、処理がステップＳ２１１に進む。
【００８０】
ステップＳ２０６において、近接判定部４は、人体の一部である肌が携帯端末１に近接していると判定することができる。その後、処理がステップＳ２１２に進む。
【００８１】
ステップＳ２１０において、近接判定部４は、人体の一部である毛髪が携帯端末１に近接していると判定することができる。その後、処理がステップＳ２１２に進む。
【００８２】
ステップＳ２１１において、近接判定部４は、物体が携帯端末１に近接していないと判定することができる。
【００８３】
ステップＳ２１２において、制御部２は、ディスプレイ５４の画面を消灯することができる。さらに、人体が携帯端末１に近接したことによって、人体が誤ってタッチパネル５６へ触れる可能性が高まる。タッチパネル５６の誤作動を防止するために、制御部２は、タッチパネル５６への入力を無視する、またはタッチパネル５６への電力供給を停止することによって、タッチパネル５６への入力を無効にすることができる。
【００８４】
以上のように、第２の実施形態によれば、第１の実施形態と同様に、毛髪の携帯端末への近接を正しく検出することができる。
【００８５】
（変形例）
本開示は、上記に限定されるものではなく、たとえば以下のような変形例も含む。
【００８６】
（１）可視光
第１および第２の実施形態では、赤外線と異なる波長の光として紫外線を用いたが、これに限定するものではなく、可視光であってもよい。
【００８７】
図１５は、変形例における第１の近接センサ４０および第２の近接センサ８０の配置、および人体の携帯端末１への近接を表わす図である。
【００８８】
フロントガラス２０と、第１の近接センサ４０および第２の近接センサ４１との距離をＬとする。
【００８９】
第１の近接センサ４０を構成する赤外線発光素子４２から出力された赤外線は、毛髪または肌などの対象物で反射して、反射した赤外線は、第１の近接センサ４０を構成する赤外線受光素子４４で受光される。
【００９０】
第２の近接センサ８０を構成する可視光発光素子８６から出力された可視光は、毛髪または肌などの対象物で反射して、反射した可視光は、第２の近接センサ８０を構成する可視光受光素子８８で受光される。
【００９１】
可視光発光素子８６は、着信時に着信があったことを知らせる着信ランプとしても用いることができるようにしてもよい。可視光発光素子８６は、通話開始時に人体の携帯端末１の近接を検出するために可視光を出射するだけでなく、着信時に、着信を知らせるために可視光を出射するものとしてもよい。
【００９２】
可視光受光素子８８は、照度センサとして用いることができるようにしてもよい。可視光受光素子８８は、通話開始時に人体の携帯端末１の近接を検出するために反射された可視光を検出するだけでなく、可視光発光素子８６から可視光が出射されていないときには、周囲の明るさに応じてディスプレイの輝度を制御するために、可視光を検出するものとしてもよい。
【００９３】
（２）赤外線センサと紫外線センサの同時動作
図１１のフローチャートでは、制御部２は、第１の近接センサ４０によって赤外線の反射光量を検出させた後、第２の近接センサ４１によって紫外線の反射光量を検出させたが、これに限定するものではない。たとえば、制御部２は、第１の近接センサ４０による赤外線の反射光量の検出と、第２の近接センサ４１による紫外線の反射光量の検出とを同時に行わせるものとしてもよい。
【００９４】
また、第２の近接センサ４１によって紫外線の反射光量が検出される前に、近接判定部４は、第１の近接センサ４０によって検出された赤外線の反射光量ＲＩが閾値ＴＨＡ以上か否かを判定して、反射光量ＲＩが閾値ＴＨＡ未満であると判定された場合には、制御部２は、第２の近接センサ４１による紫外線の反射光量の検出を実行しないようにしてもよい。
【００９５】
（３）近接の検出
第１および第２の実施形態では、制御部２は、携帯端末１の通話開始をトリガとして、制御部２は、第１の近接センサ４０および第２の近接センサ４１を制御して、物体の近接の検出をさせたが、これに限定するものではない。
【００９６】
たとえば、制御部２は、一定の周期で第１の近接センサ４０および第２の近接センサ４１を制御して、物体の近接の検出をさせるものとしてもよい。これにより、ユーザが、胸ポケットの中に携帯端末１を入れた場合に、近接が検出されるので、タッチパネル５６の誤作動を防止することができる。胸ポケットの布は、毛髪とほぼ同様の特性を有する。
【００９７】
（４）近接
本開示において、対象物との「近接」という用語を使用したが、「近接」には、対象物と「接触」しない状態で対象物との距離が短いことを意味するだけでなく、対象物と直接的に「接触」することも含む。
【００９８】
今回開示された実施の形態はすべての点で例示であって制限的なものではないと考えられるべきである。本開示の範囲は上記した説明ではなくて特許請求の範囲によって示され、特許請求の範囲と均等の意味および範囲内でのすべての変更が含まれることが意図される。
【符号の説明】
【００９９】
１  携帯端末、２  制御部、３  筐体、４  近接判定部、２０  フロントガラス、２２  近接窓、２４  近接センサ、２６  発光素子、２８  受光素子、４０  第１の近接センサ、４１，８０  第２の近接センサ、４２  赤外線発光素子、４４  赤外線受光素子、４６  紫外線発光素子、４８  紫外線受光素子、５０  スピーカ、５２  マイク、５４  ディスプレイ、５６  タッチパネル、５８  アンテナ、６０  無線通信部、６２  カメラ、６５  黒印刷部、８６  可視光発光素子、８８  可視光受光素子。
【図１】
2016158144.tif 000003
【図２】
2016158144.tif 000004
【図３】
2016158144.tif 000005
【図４】
2016158144.tif 000006
【図５】
2016158144.tif 000007
【図６】
2016158144.tif 000008
【図７】
2016158144.tif 000009
【図８】
2016158144.tif 000010
【図９】
2016158144.tif 000011
【図１０】
2016158144.tif 000012
【図１１】
2016158144.tif 000013
【図１２】
2016158144.tif 000014
【図１３】
2016158144.tif 000015
【図１４】
2016158144.tif 000016
【図１５】
2016158144.tif 000017